(57)【特許請求の範囲】
【請求項１】
重ねられた複数の用紙を載置可能なベース台に処理部を設け、この処理部上に上記用紙の端部をセットし、上記用紙の上から押圧して処理する押圧処理機構を備えた用紙押圧処理装置において、
上記ベース台を、上記用紙の端部を上記処理部上にセットしたときに用紙の一部の縁部が載置可能な大きさに形成するとともに、上記ベース台には、上記ベース台からはみ出した上記用紙の他の一部を上記ベース台と協働して支持可能な支持アームが設けられ、上記支持アームは、上記ベース台の側部の回動部に回動自在に枢支された基端部と、上記用紙のベース台からはみ出した部分の縁部を下面側から支持する縁側支持部と、上記支持アームの先端部に位置する上記縁側支持部から延出して上記用紙の縁部より中央側を下面側から支持する内側支持部とを備え、
上記支持アームは、上記ベース台に側方に回動して格納、引き出し自在に設けられ、引き出し状態において、上記用紙をフラット状態に支持するように上記支持アームの縁側支持部と内側支持部の上面が上記ベース台と協働して上記ベース台の上面と略同一平面を形成し、格納状態において、上記縁側支持部は上記基端部から上記ベース台の側縁部に沿うように延出されるとともに、上記内側支持部は上記ベース台の前縁部に沿うように延出され、上記ベース台の上面と略同一平面を形成することを特徴とする、用紙押圧処理装置における用紙の支持機構。
【請求項２】
上記請求項１において、上記支持アームは、用紙を下面側から全体で支持する面を備え、上記格納状態、上記引き出し状態の何れにおいても上記全体で支持する面と上記ベース台上面とが協働して上記略同一平面を形成することを特徴とする、用紙押圧処理装置における用紙の支持機構。
【請求項３】
上記請求項１において、上記支持アームの上記内側支持部の端部には指掛け用の切欠き部が形成されていることを特徴とする、用紙押圧処理装置における用紙の支持機構。
【請求項４】
上記請求項１において、上記ベース台の左右両側縁部には左右対称な断面が横向きの凸形の格納部を形成し、上記格納部に嵌り合って格納される上記支持アームの上記縁側支持部と上記内側支持部とを断面が横向きの凹形に形成するとともに、格納状態において上記格納部と上記縁側支持部と上記内側支持部とが上下に接する部位には互いに係合可能な係合部を形成したことを特徴とする、用紙押圧処理装置における用紙の支持機構。
【請求項５】
上記請求項１において、上記ベース台の上記回動部と上記支持アームの上記基端部との間にはクリック機構を設け、回動時には上記支持アームを所定の開き角度に保持可能としたことを特徴とする、用紙押圧処理装置における用紙の支持機構。
【請求項６】
上記請求項１において、上記支持アームには上記用紙の綴り位置の目安とする目盛りが形成されていることを特徴とする、用紙押圧処理装置における用紙の支持機構。
【請求項７】
上記請求項１において、上記ベース台の上面と格納された上記支持アームの上面との間の一部には、指先が入れられる程度の隙間が形成されていることを特徴とする、用紙押圧処理装置における用紙の支持機構。
【請求項８】
上記請求項１において、上記支持アームが中心線を挟んでその上下部が対称形となるように形成されたことを特徴とする、用紙押圧処理装置における用紙の支持機構。
【発明の詳細な説明】
【技術分野】
【０００１】
本発明は、ステープラや穴あけパンチなどの用紙押圧処理装置において、綴じ処理、穿孔処理等の押圧処理時に用紙が撓まないようにする、用紙押圧処理装置における用紙の支持機構に関するものである。
【背景技術】
【０００２】
例えば、ステープラは、ベース台に処理部としてクリンチ溝を設け、この処理部上に重ねられた複数の用紙の端部をセットし、上記用紙の上から押圧して綴じ処理する押圧処理機構を備えた用紙押圧処理装置である。押圧処理機構は、ハンドルを下方に向けて回動させることにより、マガジンの先端下面を用紙上に押圧するとともにドライバプレートを駆動してマガジンの打ち出し部の上から下に貫通させることにより打ち出し部のステープルを下方に打ち出し、その脚部を用紙に貫通させ、これらの脚部をクリンチ溝によって折り曲げて用紙を綴じるものである。
【０００３】
また、穴あけパンチも同様に、重ねられた複数の用紙を載置可能なベース台に処理部として刃受け部を設け、この処理部上に上記用紙の端部をセットし、上記用紙の上から押圧して穿孔処理する押圧処理機構を備えた用紙押圧処理装置である。この場合、ステープラと異なるのは、ドライバプレートに代えて円筒状の穿孔刃が設けられている点だけである。
【０００４】
ところで、特許文献１に示されるような大量の枚数の用紙を処理するための用紙押圧処理装置は、押圧処理機構自体が大型化するので、全体もそれにつれて大きくなっているが、頻繁に使用されるものではないので、収納時などにスペースをとらないよう全体をコンパクトにせざるを得ず、ベース台の用紙載置部も十分な広さにすることができない。
【特許文献１】特許第１３８２４８公報
【発明の開示】
【発明が解決しようとする課題】
【０００５】
しかしながら、一度に大量の用紙を処理するときは、用紙全体が重くなっており、また紙自体の剛性は非常に低く撓みやすいので、用紙を広くない用紙載置部上にセットすると、その両側は撓んで低く垂れてしまう。撓んだ状態で処理すると、ステープラの場合には、撓み状態が保持されるので、用紙をフラットにしたときに一部が膨らんだり、用紙の端面がずれてしまったりするという問題がある。穴あけパンチの場合は、穿孔位置がずれてしまい、フォルダーに綴じたときに上下の用紙が整合しないという問題がある。
【０００６】
いずれの場合も、ベース台の処理部上に用紙を載置し、処理すべき部分を処理部にセットしたときに、用紙がフラットになっていることが重要である。
【０００７】
本発明は上記問題点を解消し、処理時に用紙をフラットにした状態で支持することができる、用紙押圧処理装置における用紙の支持機構を提供することをその課題とする。
【課題を解決するための手段】
【０００８】
前記課題を解決するため、請求項１に係る発明は、重ねられた複数の用紙を載置可能なベース台に処理部を設け、この処理部上に上記用紙の端部をセットし、上記用紙の上から押圧して処理する押圧処理機構を備えた用紙押圧処理装置において、上記ベース台を、上記用紙の端部を上記処理部上にセットしたときに用紙の一部の縁部が載置可能な大きさに形成するとともに、上記ベース台には、上記ベース台からはみ出した上記用紙の他の一部を上記ベース台と協働して支持可能な支持アームが設けられ、上記支持アームは、上記ベース台の側部の回動部に回動自在に枢支された基端部と、上記用紙のベース台からはみ出した部分の縁部を下面側から支持する縁側支持部と、上記支持アームの先端部に位置する上記縁側支持部から延出して上記用紙の縁部より中央側を下面側から支持する内側支持部とを備え、上記支持アームは、上記ベース台に側方に回動して格納、引き出し自在に設けられ、引き出し状態において、上記用紙をフラット状態に支持するように上記支持アームの縁側支持部と内側支持部の上面が上記ベース台と協働して上記ベース台の上面と略同一平面を形成し、格納状態において、上記縁側支持部は上記基端部から上記ベース台の側縁部に沿うように延出されるとともに、上記内側支持部は上記ベース台の前縁部に沿うように延出され、上記ベース台の上面と略同一平面を形成することを特徴とする。
【０００９】
請求項２に係る発明は、記請求項１において、上記支持アームは、用紙を下面側から全体で支持する面を備え、上記格納状態、上記引き出し状態の何れにおいても上記全体で支持する面と上記ベース台上面とが協働して上記略同一平面を形成することを特徴とする。
【００１０】
請求項３に係る発明は、上記請求項１において、上記支持アームの上記内側支持部の端部には指掛け用の切欠き部が形成されていることを特徴とする。
【００１１】
請求項４に係る発明は、上記請求項１において、上記ベース台の左右両側縁部には左右対称な断面が横向きの凸形の格納部を形成し、上記格納部に嵌り合って格納される上記支持アームの上記縁側支持部と上記内側支持部とを断面が横向きの凹形に形成するとともに、格納状態において上記格納部と上記縁側支持部と上記内側支持部とが上下に接する部位には互いに係合可能な係合部を形成したことを特徴とする。
【００１２】
請求項５に係る発明は、上記請求項１において、上記ベース台の上記回動部と上記支持アームの基端部との間にはクリック機構を設け、回動時には上記支持アームを所定の開き角度に保持可能としたことを特徴とする。
【００１３】
請求項６に係る発明は、上記請求項１において、上記支持アームには上記用紙の綴り位置の目安とする目盛りが形成されていることを特徴とする。
【００１４】
請求項７に係る発明は、上記請求項１において、上記ベース台の上面と格納された上記支持アームの上面との間の一部には、指先が入れられる程度の隙間が形成されていることを特徴とする。
【００１５】
請求項８に係る発明は、上記請求項１において、上記支持アームが中心線を挟んでその上下部が対称形となるように形成されたことを特徴とする。
【発明の効果】
【００１６】
請求項１に係る発明によれば、ベース台にはベース台と協働して支持可能な支持アームが設けられ、支持アームは、上記用紙のベース台からはみ出した部分の縁部を下面側から支持する縁側支持部と、上記支持アームの先端部に位置する上記縁側支持部から延出して上記用紙の縁部より中央側を下面側から支持する内側支持部とを備え、上記用紙をフラット状態に支持するように上記支持アームの縁側支持部と内側支持部の上面が上記ベース台と協働して上記ベース台の上面と略同一平面を形成するので、押圧処理機構を作動させると、用紙は上端から下端まで均一に処理することができ、歪みや変形が生じることがなく、処理状態の仕上がりが良好となる。
【００１７】
また、支持アームは、上記ベース台に側方に回動して格納、引き出し自在に設けられ、上記支持アームの引き出し状態において、上記ベース台と協働して上記ベース台の上面と略同一平面を形成するように設けられているので、ベース台をコンパクトに構成することができるとともに、略同一平面上に用紙を幅広く支持することができる。
【００１８】
また、支持アームは、ベース台に回動自在に枢支された基端部と、上記基端部から延出されて上記ベース台の側縁部に沿うように延出された縁側支持部とを備え、上記内側支持部は上記縁側支持部から上記ベース台の前縁部に沿うように延出しているので、用紙を支持する支持アームの全長を最長にすることができる。
【００１９】
請求項２に係る発明によれば、用紙支持アームは、用紙を下面側から全体で支持する面を有するため、用紙をよりフラットな状態に支持でき、処理状態の仕上がりがより良好となる。
【００２０】
請求項３に係る発明によれば、支持アームの前端縁側の端部には切欠き部が形成されているので、切欠き部に指を掛けて支持アームを容易に引き出すことができる。
【００２１】
請求項４に係る発明によれば、ベース台の左右両側縁部の断面横向き凸形の格納部に断面凹形支持アームを嵌めて格納する構成なので、格納状態で支持アームとベース台とは一体の外観を呈する。また、全体がほぼベース台の幅に収まるのでコンパクトにすることができる。さらに、格納状態において格納部とアーム部とが上下に接する部位には互いに係合可能な係合部を形成したので、支持アームの格納状態が良好に保持される。
【００２２】
請求項５に係る発明によれば、ベース台と支持アームとの回動部にはクリック機構が設けられ、回動時には支持アームを所定の開き角度に保持可能となっているので、角綴じも可能となり、色々な綴り作動を安定して行うことができる。
【００２３】
請求項６に係る発明によれば、支持アームには用紙の綴り位置の目安とする目盛りが形成されているので、綴り位置を正確に得ることができる。
【００２４】
請求項７に係る発明によれば、ベース台の上面と格納された支持アームの上面との間の一部には、指先が入れられる程度の隙間が形成されているので、この隙間から指を掛けて支持アームを容易に引き出すことができる。
【００２５】
請求項８に係る発明によれば、支持アームが中心線を挟んでその上下部が対称形となるように形成されているので、左右の支持アームを共用することができる。
【発明を実施するための最良の形態】
【００２６】
［実施形態１］
図１は本発明に係るステープラの斜視図である。同図において符号１はベース台を示す。このベース台１の前側には用紙ａを載置する用紙載置面１ａが形成され、その中央寄りにはクリンチ溝（処理部）２が設けられ、後側の端部にはハンドル３とドライバアーム４とマガジン５とが回動自在に設けられている。用紙載置面１ａは上記用紙の端部を上記処理部上にセットしたときに用紙の一部の縁部が載置可能で、載置したときに用紙が用紙載置面の両側で撓む程度の大きさに形成されている。ベース台１を極力コンパクトにするためである。
【００２７】
マガジン５には、多数のコ字形のステープルを連結してなる連結ステープルが装填されているとともに、ドライバアーム４の前端にはドライバプレート６が固定され、ドライバプレート６の先端は上記マガジン５の打ち出し部７を通過するように取り付けられている。
【００２８】
ハンドル３とドライバアーム４との間には倍力機構（図示せず）が設けられ、小さな力でもドライバアーム４に対して大きな駆動力が得られるようになっている。そして、ハンドル３を下方に回動したときにドライバアーム４を下方に駆動してドライバプレート６をマガジン５の打ち出し部７の上から下に貫通させることにより、マガジン５の先端に送られた連結ステープルの先頭ステープルが打ち出し部７から打ち出されるようになっている。
【００２９】
なお、図示しないが、マガジン５の内部には装填された連結ステープルを打ち出し部に向けて送る送り機構等が設けられている。
【００３０】
また、符号８は用紙ａの端部位置を位置決めする位置決め部材で、ベース台１の前後方向に沿ってスライド自在に設けられている。上記位置決め部材８には、ベース台１のクリンチ溝２に対応する部位に、用紙の角部が差込み可能な開口部１０が形成されている。また、クリンチ溝２の両側には用紙を角綴じする際の目安となる目印９が形成されている。
【００３１】
次に、上記ベース台１には、図２に示されるように、上記用紙ａを載置したときにベース台１からはみ出した上記用紙ａの他の一部を上記ベース台１と協働して上記用紙ａの縁部ａ１を下側からフラットに支持可能な支持アーム１１が着脱かつ開閉回動自在に設けられている。
【００３２】
上記支持アーム１１は、図３に示されるように、上記ベース台１に回動自在に枢支された基端部１１ａと、上記基端部１１ａから上記ベース台１の側縁部１ｃに沿うように延出された縁側支持部１１ｂと、上記縁側支持部から上記ベース台の前縁部に沿うように延出した内側支持部１１ｃとから構成されている。１１ｄは縁側支持部１１ｂと内側支持部１１ｃの上面を示す。
【００３３】
上記支持アーム１１は、回動により上記ベース台１に格納、引き出し自在に設けられている。すなわち、図３〜図６に示されるように、ベース台１の用紙載置面１ａの前部には、上下に対称な断面が横向きの凸形の格納部１２が形成されている。そして、ベース台１のクリンチ溝２の両側に対応する格納部１２の端部には、平面視において略半円状の回動部１３が形成されている。回動部１３の上下面の中央には軸受穴１４が形成され、また回動部１３の上面には複数個の係合穴１５が１つの円の円周方向に沿って形成されている。さらに、回動部１３の外側には案内溝１６が傾斜形成されている。回動部１３の下面には上記係合穴１５と略同じ幅で同じ半径の環状溝１７（図５参照）が形成されている。
【００３４】
これに対し、支持アーム１１の基端部１１ａには、上記回動部１３に嵌まり合う大きさの上片１８と下片１９とが形成されている。上片１８の下面と下片１９の上面の中央部には突軸部２０が形成され、また上片１８の下面と下片１９の上面の互いに対応する位置に複数の係合凸部２１が１つの円の円周方向に沿って形成されている。これらの係合凸部２１の数と配置されている円の径は、上記回動部１３の係合穴１５と配置されている円の径に対応している。また、支持アーム１１の縁側支持部１１ｂと内側支持部１１ｃとは一体成型されており、略Ｌ字形に屈曲形成され、断面がベース台１の格納部１２に嵌り合う形状の横向きの凹形に形成されている。そして、支持アーム１１は全体として上下部が中心線ｐをはさんで対称形となるように形成されている。
【００３５】
支持アーム１１の基端部１１ａをベース台１の回動部１３に枢支させるときは、支持アーム１１の基端部１１ａを、その上片１８と下片１９とで回動部１３を挟むようにして押し込む。このとき、図６に示されるように、支持アーム１１の突軸部２０は回動部１３の案内溝１６に沿って案内され、上下の突軸部２０は円滑に回動部１３の軸受穴１４に係合する。これにより、支持アーム１１は回動部１３に突軸部２０を中心に水平方向に回動可能に枢支される。なお、上片１８と下片１９とを広げてやれば、支持アーム１１を容易にベース台１から取り外すことができる。
【００３６】
このように、支持アーム１１は回動により上記ベース台１に格納、引き出し自在に設けられる。そして、格納時には、上記ベース台１の側縁部１ｃと前縁部１ｄに形成された格納部１２に支持アーム１１の縁側支持部１１ｂと内側支持部１１ｃとが嵌まり合い、支持アーム１１の上面１１ｄ全体は、図１に示すように上記ベース台１と協働して上記ベース台１の上面の用紙載置面１ａと略同一平面を形成するようになっている。そして、格納時には、図５に示すように、支持アーム１１の係合凸部２１は回動部１３の係合穴１５に係合に係合する位置で保持されているが、支持アーム１１を外方に引き出して回動させると、支持アーム１１の上片１８は上方に変形して係合凸部２１は上記係合穴１５から外れ、次の係合穴１５に係合し、その位置で保持され、さらに回動させると、同様にして係合凸部２１は係合穴１５から外れ、この係合穴１５を越えて次の係合穴１５に係合する。このように、ベース台１と支持アーム１１の回動部１３には、係合凸部２１が係合穴１５を乗り越える度に抵抗が変化するクリック機構が構成されているので、係合時には支持アーム１１は自由には回動できず、所定の開き角度に保持可能となる。この開き角度は、格納時の０度、中間の４５度、最大角度９０度とするのが好ましい。
【００３７】
なお、支持アーム１１の下片１９の係合凸部２１は上記回動部１３の下面の環状溝１７に係合しているので、支持アーム１１が回動したときに係合凸部２１は常時環状溝１７に納まった状態で移動するので、下片１９は、上片１８のようにベース台１の下面よりも下方に撓み変形することがない。したがって、支持アーム１１の回動時に設置面ｂからベース台１が浮き上がることはなく、滑らかに支持アーム１１を回動操作することができる。
【００３８】
次に、図２及び図７に示されるように、ベース台１の格納部１２の中間部の上下面には係合凹部２２が形成されている。下部の係合凹部には格納部１２の外側に開口する誘導溝２３が連続形成されている。これに対し、支持アーム１１の縁側支持部１１ｂの中間部の、上記ベース台１の係合凹部２２と誘導溝２３に対応する位置には、互いに係合可能な係合凸部２４が形成されている。これにより、支持アーム１１が格納されたときは、上記係合凸部２４は係合凹部２２に係合する。このとき、縁側支持部１１ｂの下部の係合凸部２４は、格納部１２の誘導溝２３からスムーズに誘導されて係合凹部２２に係合する。格納部１２と縁側支持部１１ｂとが上下に接する部位には互いに係合可能な係合部（係合凹部２２と係合凸部２４）が形成されているので、支持アーム１１は格納状態に保持され、みだりに回動することがない。
【００３９】
さらに、両側の支持アーム１１の内側支持部１１ｃの先端部には半円形状の切欠き部２５が形成されている。切欠き部２５は指先が入る半分程度の大きさが好ましい。支持アーム１１が格納されたときは、両側の支持アーム１１の切欠き部２５によって指先が入る程度の空間が形成される。このように、両側の支持アーム１１の先端は、格納時には突合せ状に配置されるのが好ましい。
【００４０】
なお、図１に示すように、上記ベース台１の上面１ａと格納された上記支持アーム１１の上面１１ｄとの間の角部には、指先が入れられる程度の隙間２６が形成されている。
【００４１】
また、上記支持アーム１１の縁側支持部１１ｂには上記用紙ａの綴り位置の目安とする目盛り溝２７が形成されている。
【００４２】
次に、上記構成のステープラを使用するときは、まず図１に示す状態のベース台１の角部に形成された隙間２６に指を入れて両側の支持アーム１１の内側を押すようにして支持アーム１１を外側に引き出して回動させる。このとき、支持アーム１１の先端の切欠き部２５に指を掛けて回動させてもよい。支持アーム１１を図２のように各々９０度回動してその開き角度に保持させ、位置決め部材の位置を決めた後、用紙ａの縁部ａ１を用紙載置面１ａと支持アーム１１の上面１１ｄ上に載置してセットする。支持アーム１１はベース台１と協働して用紙載置面１ａと略同一平面を形成するようになっているから、用紙ａの載置面積は支持アーム１１を両側に引き出した分だけ広くなり、用紙ａのベース台１からはみ出した部分は支持アーム１１で支持されるので、用紙ａのクリンチ溝２の周囲はフラットな状態に保持される。この際、支持アーム１１の縁側支持部１１ｂは、用紙ａのベース台１からはみ出した部分の縁部ａ１を下側から支持する。また、内側支持部１１ｃは用紙ａのベース台１からはみ出した部分の縁部の用紙中央側を下面側から支持するので、用紙ａのベース台１からはみ出した縁部のみを支持する場合よりも安定したフラットな姿勢で用紙ａを支持できる。
【００４３】
この状態でハンドル３を押し下げてドライバプレート６を駆動してステープルを打ち出すことにより、ステープルの脚部は用紙載置面１ａ上に載置された用紙ａを貫通し、さらにクリンチ溝２に押し当てられて折り曲がることによって用紙ａを綴じることができる。綴りが終了すると、図示しないバネによりハンドル３とドライバアーム４とマガジン５とは図１の初期状態に復帰するとともに、打ち出し部７に連結ステープルがステープル１本分だけ送られ、次の綴りが準備される。用紙ａはフラットな状態で綴り処理されるので、上下の用紙ａが位置ずれすることなく上から下まで均一に綴じられる。このため、歪みや変形が生じることがなく、仕上りが良好となる。
【００４４】
なお、２個所を綴るときは、用紙ａの側端部を支持アーム１１の目盛り溝２７に合わせることにより、両側端からの綴り位置を正確に同じにすることができる。
【００４５】
また、用紙ａを角綴じするときは、図８のように支持アーム１１を各々４５度回動させればよい。この開き角度で支持アーム１１はクリック機構により保持される。用紙ａの角部を位置決め部材８の開口部１０から差し込むとともに、上記角部に隣り合う縁ａ１、ａ２を支持アーム１１上に載置する。支持アーム１１でベース台１からはみ出した部分は支持アーム１１によって支持されるので、用紙ａはフラットな状態に保持される。この際も、内側支持部１１ｃがベース台１からはみ出した用紙ａの縁部の用紙中央側を下面側から支持するので、安定した姿勢で用紙ａを支持できる。さらに、用紙ａの角部の両縁をクリンチ溝２の両側の目印９に合わせる。この状態でハンドル３を押し下げて綴り作動をすることにより、上下の用紙ａが位置ずれすることなく上から下まで均一に綴じられる。
【００４６】
綴り作業終了後は、両側の支持アーム１１をベース台１の格納部１２に格納すればよい。このとき、支持アーム１１の係合凸部２４は、格納部１２の係合凹部２２に係合するので、支持アーム１１は格納状態に保持され、みだりに回動することがない。
【００４７】
上記ステープラ構成によれば、支持アーム１１は、ベース台１に回動自在に枢支された基端部１１ａと、基端部１１ａから延出されてベース台１の側縁部１ｃに沿うように延出された縁側支持部１１ｂと、縁側支持部１１ｂからベース台１の前縁部１ｄに沿うように延出された内側支持部１１ｃとを備えているので、用紙ａを支持する支持アーム１１の全長を最長にすることができる。
【００４８】
また、支持アーム１１は格納状態でベース台１と協働して用紙載置面１ａと略同一平面を形成するようになっているから、ベース台１と一体的に見える外観を呈し、全体がほぼベース台１の幅に収まるのでコンパクトに構成することができるとともに、略同一平面上に用紙ａを幅広く支持することができる。
【００４９】
加えて、支持アーム１１は中心線ｐを挟んでその上下部が対称形となるように形成されているので、上下反転させて使用することにより、左右の支持アーム１１の部品共用化が図れるというメリットがある。
【００５０】
［実施形態２］
支持アーム１１は図９に示されるように、軸状の縁側支持部１１ｂとその先端に設けられた板状の内側支持部１１ｃとを結合した構成であってもよい。この場合、上記縁側支持部１１ｂを格納するベース台１の格納部１２は、縁側支持部ｂ１１ｂが嵌まる溝状に形成されている。
【００５１】
このように、内側支持部１１ｃの上面１１ｄがベース台１と協働してベース台１の上面の用紙載置面１ａと略同一平面が形成されるようにしてもよい。
【００５２】
上記構成によっても、実施形態１に示したものと同様の効果を得ることができる。
【００５３】
［実施形態３］
図１０は支持アーム１１をベース台１に格納、引き出し可能に設けた他の形態である。同図において両側の支持アーム１１は縁側支持部１１ｂと内側支持部１１ｃとによってＬ字形に形成されており、左右の支持アーム１１のそれぞれ縁側支持部１１ｂはベース台１に格納、引き出し可能に設けられている。そして、上記縁側支持部１１ｂが左右方向にスライドすることによって支持アーム１１がベース台１に格納、引き出し可能となっている。この場合も、支持アーム１１の上面は、上記ベース台１と協働してベース台１の用紙載置面１ａと略同一平面を形成するように構成されている。また、ベース台１の上面と格納された内側支持部１１ｃとの間には、指先が入れられる程度の隙間２６が形成されている。
【００５４】
上記構成によっても、実施形態１に示したものと同様の効果を得ることができる。
【００５５】
なお、上記実施形態２、３においても、上記支持アームが中心線を挟んでその上下部が対称形となるように形成されている。また、実施形態１と同じ部材は同じ符号を付し、説明は省略した。
【産業上の利用可能性】
【００５６】
上記用紙の支持機構はステープラに限定されない。穴あけパンチのように、穿孔処理時に用紙をフラットに支持することが必要な用紙押圧処理装置にも適用することができる。
【図面の簡単な説明】
【００５７】
【図１】本発明に係るステープラの一実施形態の斜視図である。
【図２】支持アームを引き出した状態の斜視図である。
【図３】上記ステープラの分解斜視図である。
【図４】ベース台の前部の平面図である。
【図５】図４のＸ−Ｘ線上の断面図である。
【図６】図４のＹ−Ｙ線上の断面図図である。
【図７】図４のＺ−Ｚ線上の断面図図である。
【図８】角綴じをする状態の斜視図である。
【図９】ステープラの他の実施形態の斜視図である。
【図１０】ステープラのさらに他の実施形態の斜視図である。
【符号の説明】
【００５８】
ａ  用紙
１  ベース台
２  クリンチ溝（処理部）
１１  支持アーム
１１ｂ  縁側支持部
１１ｃ  内側支持部
【図１】
0005181429.tif 000002
【図２】
0005181429.tif 000003
【図３】
0005181429.tif 000004
【図４】
0005181429.tif 000005
【図５】
0005181429.tif 000006
【図６】
0005181429.tif 000007
【図７】
0005181429.tif 000008
【図８】
0005181429.tif 000009
【図９】
0005181429.tif 000010
【図１０】
0005181429.tif 000011